(57)【要約】【課題】従来のレーザー取付装置では、レーザー光の輝度調整が作業員による個別調整のため、作業性が悪く、量産性に適さないという問題があった。【解決手段】本発明のレーザー取付装置では、ＣＡＮパッケージ３を位置固定するＬＤホルダ２の座面１１には一対の突起部１２、１３が形成される。貫通孔１０内に挿入されたＣＡＮパッケージ３は、一対の突起部１２、１３と当接した後、その突起部１２、１３を起点として傾いた状態にてＬＤホルダ２内に接着固定される。この構造により、レーザー光の出射方向が光ピックアップ装置の光軸からずれることなく、レーザー光の輝度調整が行われるため、その作業性が向上し、量産性に適したレーザー取付装置１が実現される。【選択図】図１
2011170924.tif 000002
【特許請求の範囲】
【請求項１】
レーザー光を出射するレーザーダイオードが固着されたパッケージと、前記パッケージを保持するホルダとを有し、
前記ホルダには前記パッケージが収納される貫通孔が形成され、前記貫通孔内には前記パッケージの位置固定用の座面が形成され、前記座面には前記貫通孔の中心軸に対して対称に配置された一対の突起部が形成されることを特徴とするレーザー取付装置。
【請求項２】
前記貫通孔の中心軸は前記ホルダの光軸と一致し、前記座面は、前記光軸に対して垂直面となり、前記一対の突起部は、前記光軸に垂直な前記ホルダの高さ方向に配置されることを特徴とする請求項１に記載のレーザー取付装置。
【請求項３】
前記パッケージは、前記パッケージ内から出射される前記レーザー光の輝度中心が、前記光軸に対して前記ホルダの幅方向への傾きにより区分されることを特徴とする請求項２に記載のレーザー取付装置。
【請求項４】
前記パッケージは、少なくとも前記一対の突起部及び前記座面の一部と当接した状態にて固定され、前記レーザーダイオードの発光点は前記光軸上に位置することを特徴とする請求項２または請求項３に記載のレーザー取付装置。
【請求項５】
前記ホルダは直方体から成り、前記貫通孔が貫通する前記直方体の一対の側面は、前記座面と平行面となることを特徴とする請求項２または請求項３に記載のレーザー取付装置。
【請求項６】
少なくともレーザー取付装置から出射されるレーザー光により光情報記録媒体へのデータの書き込みまたは前記光情報記録媒体からのデータの読み込みを行う光ピックアップ装置において、
前記レーザー取付装置は、請求項１から請求項５のいずれか１項に記載のレーザー取付装置であることを特徴とする光ピックアップ装置。
【発明の詳細な説明】
【技術分野】
【０００１】
本発明は、レーザー光の輝度分布の調整を簡易化するレーザー取付装置及びそれを用いた光ピックアップ装置に関する。
【背景技術】
【０００２】
従来のレーザー取付装置の一実施例として、図６に示す構造が知られている。図示の如く、レーザー取付装置のベース４１には光軸調整機構部４２が配置される。光軸調整機構部４２は、固定座４３と可動座４４とから構成される。固定座４３には開口領域４５が形成され、開口領域４５の内側面は、光学系の光軸４６に対して同心状に球面加工される。一方、可動座４４の外周面も同様に、光学系の光軸４６に対して同心状に球面加工される。可動座４４の基準面４７に密接するようにＬＤパッケージ４８が配置され、可動座４４は、固定座４３の開口領域４５内に嵌合される。そして、光軸調整機器４９により、可動座４４の位置を調整することで、ＬＤパッケージ４８から出射されるレーザー光の出射方向と光学系の光軸４６とが調整される。同様に、可動座４４の位置調整によりレーザー光の対物レンズ（図示せず）上での輝度分布のずれも調整される。尚、光軸調整や輝度分布調整をした後は、接着剤５０により、固定座４３と可動座４４との位置関係が固定される（例えば、特許文献１参照。）。
【先行技術文献】
【特許文献】
【０００３】
【特許文献１】特開平０５−８１６９３号公報（第３−４頁、第１−２図）
【発明の概要】
【発明が解決しようとする課題】
【０００４】
前述したように、従来のレーザー取付装置では、レーザー取付装置のベースに光軸調整機構部４２が固定された後、個々のレーザー取付装置に対して可動座４４の位置調整を行うことで、レーザー光の光軸の調整や輝度分布の調整が行われる。そのため、レーザー取付装置の取り付け作業やその調整作業の時間を短縮し難く、作業効率が悪く、量産性に適さず、歩留まりの向上が実現し難いという問題がある。
【０００５】
また、レーザー光の調整作業では、固定座４３に対して可動座４４を微妙に動かす必要があり、作業員の熟練した技術が必要となり、作業員の熟練度に応じて、その調整精度にばらつきが発生するという問題がある。
【課題を解決するための手段】
【０００６】
本発明のレーザー取付装置では、レーザー光を出射するレーザーダイオードが固着されたパッケージと、前記パッケージを保持するホルダとを有し、前記ホルダには前記パッケージが収納される貫通孔が形成され、前記貫通孔内には前記パッケージの位置固定用の座面が形成され、前記座面には前記貫通孔の中心軸に対して対称に配置された一対の突起部が形成されることを特徴とする。
【発明の効果】
【０００７】
本発明では、ホルダの座面に一対の突起部が配置され、ＣＡＮパッケージはその突起部を利用してホルダ内にて傾けられた状態にて固着される。この構造により、レーザー光の輝度分布の調整が、簡易に行われ、作業効率が向上される。
【０００８】
また、本発明では、一対の突起部を利用したＣＡＮパッケージの固着方法により、ＣＡＮパッケージの輝度分布のばらつきが２種類に区分される。この構造により、ＣＡＮパッケージの固着方法が容易となりその作業性が向上される。
【０００９】
また、本発明では、１つのホルダによりレーザー光の輝度分布特性の異なる２つのＣＡＮパッケージを取り扱うことができ、作業員によるホルダの取り間違え等の単純ミスが排除され、歩留まりが向上される。
【００１０】
また、本発明では、ＣＡＮパッケージの回転軸が突起部により固定されることで、レーザー光の発光点が光軸上からずれることはない。
【００１１】
また、本発明では、ハウジングへのホルダの固着面とホルダの座面とが、光軸に対して垂直面となることで、ホルダが簡易な作業にてハウジングへと固定される。
【００１２】
また、本発明では、前述した構造のレーザー取付装置を用いることで、作業性に優れ、量産性や歩留まりに優れた光ピックアップ装置が実現される。
【図面の簡単な説明】
【００１３】
【図１】本発明の実施の形態における光ピックアップ装置のレーザー取付装置を説明する（Ａ）斜視図、（Ｂ）斜視図である。
【図２】本発明の実施の形態における光ピックアップ装置のレーザー取付装置を説明する（Ａ）平面図、（Ｂ）平面図、（Ｃ）断面図である。
【図３】本発明の実施の形態における光ピックアップ装置の光学系を説明する概略図である。
【図４】本発明の実施の形態における光ピックアップ装置の（Ａ）レーザー光の輝度分布を説明する図、（Ｂ）輝度分布のばらつきを説明する図である。
【図５】本発明の実施の形態における光ピックアップ装置のレーザー取付装置を説明する（Ａ）断面図、（Ｂ）断面図である。
【図６】従来の実施の形態におけるレーザー取付装置を説明する断面図である。
【発明を実施するための形態】
【００１４】
以下に、本発明の一実施の形態であるレーザー取付装置及びそれを用いた光ピックアップ装置について説明する。図１（Ａ）は、レーザー取付装置を構成するＬＤ（Ｌａｓｅｒ  Ｄｉｏｄｅ）ホルダとＣＡＮパッケージを説明する斜視図である。図１（Ｂ）は、ハウジングとＬＤホルダとを説明する斜視図である。図２（Ａ）〜（Ｃ）は、図１（Ａ）に示すＬＤホルダを説明する図である。図３は、光ピックアップ装置の光学系を説明する概略図である。図４（Ａ）及び（Ｂ）は、レーザー光の輝度分布を説明する図である。図５（Ａ）及び（Ｂ）は、ＬＤホルダ内に固着されるＣＡＮパッケージを説明する図である。
【００１５】
図１（Ａ）に示す如く、レーザー取付装置１は、主に、ＬＤホルダ２と、ＬＤホルダ２内に固着されるＣＡＮパッケージ３とから構成される。図示していないが、ＣＡＮパッケージ３には、ＬＤやＬＤＤ（ＬＤ  Ｄｒｉｖｅｒ）等が配置され、ＬＤＤからＬＤへ電流が流れることで、ＬＤからレーザー光が出射される。詳細は後述するが、ＬＤから出射されたレーザー光が、光情報記録媒体上に集光し、反射することで、光情報記録媒体へのデータの書き込みや光情報記録媒体からのデータの読み取りが行われる。そのため、レーザー光の出射方向は、光ピックアップ装置の光軸に対して高精度に一致するように、ＬＤホルダ２はハウジング１４（図１（Ｂ）参照）に配置される。尚、ハウジング１４は、図３に示す光学系部品を内蔵するパッケージのことを言い、例えば、ＬＤホルダ２はハウジング１４内やハウジング１４側面等に配置される。
【００１６】
以下の説明では、紙面Ｘ軸方向はハウジングの幅方向（ＬＤホルダの幅方向）とし、紙面Ｙ軸方向はハウジングの高さ方向（ＬＤホルダの高さ方向）とし、紙面Ｚ軸方向はハウジングの奥行き方向（ＬＤホルダの奥行き方向）とする。尚、紙面Ｚ軸方向は、光ピックアップ装置の光軸方向と一致し、ＬＤホルダ内から出射されるレーザー光の出射方向とも一致する。
【００１７】
ＬＤホルダ２は直方体形状であり、側面４、５は光軸方向に対してＸＹ方向の基準面となり、光軸方向に対して垂直面となる。また、側面６、７は、光軸方向に対してＹＺ方向の基準面となり、側面８、９は、光軸に対してＸＺ方向の基準面となる。そして、対向する側面４、５を貫通するように、ＬＤホルダ２には、ＣＡＮパッケージ３と同形状の貫通孔１０が形成され、貫通孔１０内には、ＣＡＮパッケージ３を位置固定する座面１１が形成される。座面１１は、側面４、５に平行なＸＹ方向の基準面となり、座面１１には、２箇所の突起部１２、１３が形成される。詳細は後述するが、ＣＡＮパッケージ３は、突起部１２、１３を起点として光軸方向に対して、若干、傾いた状態にてＬＤホルダ２内に固着される。
【００１８】
図１（Ｂ）に示す如く、ハウジング１４のＬＤホルダ２の取り付け領域には、例えば、ＬＤホルダ２形状に合わせた凹部１５が形成される。凹部１５内の側面１６は、光軸方向に対してＸＹ方向の基準面となり、側面１７は、光軸方向に対してＹＺ方向の基準面となる。側面１６には、ＣＡＮパッケージ３の貫通孔１０に合わせて開口部１８が形成され、一点鎖線にて示すように開口部１８の中心軸が光ピックアップ装置の光軸方向と一致する。そして、ＬＤホルダ２内から出射されたレーザー光は、開口部１８を介して一点鎖線にて示す光軸上を進む。
【００１９】
ここで、ＬＤホルダ２のハウジング１４への取り付け方法について説明する。先ず、ＬＤホルダ２の側面４とハウジング１４の側面１６とを当接させ、光ピックアップ装置の光軸方向に対して垂直面（ＸＹ方向の基準面）が固定される。尚、この時、ＬＤホルダ２の側面９がハウジング１４上に当接し、ＸＺ方向の基準面も固定される。次に、ＬＤホルダ２をＸ軸方向へ水平移動させ、ＬＤホルダ２の側面７とハウジング１４の側面１７とを当接させ、ＹＺ方向の基準面が固定される。その後、ＬＤホルダ２をＺ軸方向へ水平移動させるように、ハウジング１４に対してＬＤホルダ２を圧入することで、ＬＤホルダ２はハウジング１４に固着される。つまり、この簡易な取り付け作業により、ＬＤホルダ２内から出射されるレーザー光の出射方向が、光ピックアップ装置の光軸に対して高精度に一致するように、ＬＤホルダ２及びハウジング１４が設計される。
【００２０】
図２（Ａ）は、ＬＤホルダ２の側面５側から見た平面図を示す。貫通孔１０は、ＣＡＮパッケージ３（図１（Ａ）参照）と同形状となり、ＣＡＮパッケージ３よりも、若干、大きい空間となる。そして、貫通孔１０の中心軸に図示した×印は、レーザー光の発光点であり、光ピックアップ装置の光軸と一致する。また、貫通孔１０内には、光軸に対してＸＹ基準面となる座面１１が形成され、貫通孔１０の内周側に一環状にて形成される。座面１１は、ＣＡＮパッケージ３の位置固定用の面として用いられ、座面１１には一対の突起部１２、１３が形成される。
【００２１】
図示した二点鎖線は、光軸と直交し、貫通孔１０のＹ軸方向の中心軸であり、突起部１２、１３は、その中心軸上に配置される。そして、ＣＡＮパッケージ３の座面１９（図１（Ａ）参照）は、突起部１２、１３に当接し、突起部１２、１３を起点にして紙面右側（Ｘ軸の＋方向）または紙面左側（Ｘ軸の−方向）へと傾いた状態にて、ＬＤホルダ２内に圧入接着される。この構造により、ＣＡＮパッケージ３は、二点鎖線にて示す中心軸を回転軸として紙面左右方向に傾き、レーザー光の輝度調整が行われる。このとき、レーザー光の発光点が、光ピックアップ装置の光軸上からずれないように、ＣＡＮパッケージ３は、例えば、傾ける側（Ｘ軸の＋方向または−方向）に位置するＬＤホルダ２内の側面に押し当てながら接着固定される。尚、ＣＡＮパッケージ３の座面１９も、光軸方向に対してＸＹ方向の基準面となる。
【００２２】
また、ＬＤホルダ２の側面５には、二点鎖線にて示す中心軸より紙面右側（Ｘ軸の＋方向）に＋記号がレーザー印刷され、紙面左側（Ｘ軸の−方向）に−記号がレーザー印刷される。詳細は後述するが、作業者は、ＣＡＮパッケージ３内から出射されるレーザー光の輝度分布特性に応じて、どちらか一方にＣＡＮパッケージ３を傾けた状態にて固着を行う。
【００２３】
図２（Ｂ）は、ＬＤホルダ２の側面４側から見た平面図を示す。図示したように、側面４には、貫通孔１０が配置され、×印にて示すレーザー光の発光点が、貫通孔１０の中心軸に位置する。
【００２４】
図２（Ｃ）は、図２（Ａ）に示すＬＤホルダ２のＡ−Ａ線方向の断面図を示す。貫通孔１０は、実質、ＣＡＮパッケージ３と同形状であり、主に、２つの円柱形状１０Ａ、１０Ｂが組み合わさる形状となる。そして、ＣＡＮパッケージ３は、側面５側からＬＤホルダ２内に挿入されるため、円柱形状１０Ａの方が、円柱形状１０Ｂよりも大きな円形となる。図示した一点鎖線は、光ピックアップ装置の光軸を示し、×印にて示すレーザー光の発光点は、光軸上に位置する。そして、座面１１に形成された突起部１２、１３の高さｔ１に応じてＣＡＮパッケージ２の傾け角度が調整される。尚、突起部１２、１３の高さｔ１は、使用用途に応じて任意の設計変更が可能である。
【００２５】
図３を用いて光ピックアップ装置の光学系を説明する。尚、図示した一点鎖線が、光ピックアップ装置の光軸を示し、下記に説明する光学系部品は、光軸に対して位置精度良く配置される。
【００２６】
第１ＬＤホルダ２０Ａは、第１波長（青紫色（青色）波長帯４００ｎｍ〜４２０ｎｍ（例えば４０５ｎｍ））のレーザー光を出射する。第２ＬＤホルダ２０Ｂは、第２波長（赤色波長帯６４５ｎｍ〜６７５ｎｍ（例えば、６５５ｎｍ））のレーザー光及び第３波長（赤外波長帯７６５ｎｍ〜８０５ｎｍ（例えば、７８５ｎｍ））のレーザー光を出射する。尚、第１及び第２ＬＤホルダ２０Ａ、２０Ｂには、前述したＬＤホルダ２の構造が採用される。
【００２７】
第１回折格子２１は、第１ＬＤホルダ２０Ａと偏光ビームスプリッタ２２との間に配置され、第１ＬＤホルダ２０Ａから出射されるレーザー光が入射する。そして、第１回折格子２１は、入射するレーザー光を０次光、＋１次回折光、−１次回折光に分離する回折格子と、入射するレーザー光を偏光ビームスプリッタ２２の偏光面に対してＳ偏光の直線偏光光に変換する１／２波長板とから構成される。同様に、第２回折格子２３は、第２ＬＤホルダ２０Ｂと偏光ビームスプリッタ２２との間に配置され、回折格子と１／２波長板とから構成される。尚、第２回折格子２３では、入射するレーザー光を偏光ビームスプリッタ２２の偏光面に対してＰ偏光の直線偏光光に変換する。
【００２８】
カップリングレンズ２４は、第２回折格子２３と偏光ビームスプリッタ２２との間に配置され、入射するレーザー光の発散角度を変換する。図示したように、カップリングレンズ２４を用いることで、複数のレーザー光に対してコリメートレンズ２６と対物レンズ２８を共用することができる。そして、偏光ビームスプリッタ２２は、第１回折格子２１から入射するＳ偏光のレーザー光を反射し、カップリングレンズ２４から入射するＰ偏光のレーザー光を透過する。
【００２９】
ハーフミラー２５は、偏光ビームスプリッタ２２で反射されて入射するＳ偏光のレーザー光及び偏光ビームスプリッタ２２を透過して入射するＰ偏光のレーザー光をコリメートレンズ２６の方向へ反射する。また、ハーフミラー２５は、コリメートレンズ２６から入射するレーザー光の戻り光を透過する。そして、コリメートレンズ２６は、ハーフミラー２５から入射するレーザー光を平行光に変換する。コリメートレンズ２６によって変換されたレーザー光の平行光は、１／４波長板２７に入射する。
【００３０】
１／４波長板２７は、コリメートレンズ２６から入射するレーザー光を直線偏光光から円偏光光に変換する。また、１／４波長板２７は、対物レンズ２８から入射するレーザー光の戻り光を円偏光光から直線偏光光に変換する。そして、対物レンズ２８は、１／４波長板２７から入射するレーザー光を夫々が対応する光情報記録媒体２９の信号記録層に集光させる。
【００３１】
光情報記録媒体２９において反射したレーザー光の戻り光は、対物レンズ２８によって平行光に変換されて１／４波長板２７に入射し、１／４波長板２７によって円偏光光から直線偏光光に変換される。そして、直線偏光光となったレーザー光の戻り光は、コリメートレンズ２６を透過してハーフミラー２５を透過し、検出レンズ３０に入射する。
【００３２】
検出レンズ３０は、レーザー光の戻り光を光検出器３１上に集光させるとともに、レーザー光の戻り光に非点収差を発生させてフォーカスエラー信号を生成する。そして、光検出器３１は、受光したレーザー光の戻り光を光電変換する。
【００３３】
図４（Ａ）に示す如く、ＣＡＮパッケージ３内から出射されるレーザー光は、一点鎖線にて示す光ピックアップ装置の光軸上を進むが、その輝度中心が光軸に対して若干傾く場合がある。その理由として、ＣＡＮパッケージ３内にＬＤを固着する際の接着材の厚みやその接着材の偏り等が考えられる。そして、ＣＡＮパッケージ３内から出射されたレーザー光は、対物レンズ２８にて光情報記録媒体２９上に集光されるため、レーザー光の輝度中心のばらつきによりその集光精度が悪化する場合もある。尚、レーザー光の輝度中心が光軸に対してずれる角度をｒ（θ）とし、光軸に垂直なＸＹ平面にてＸ軸方向の＋方向と−方向を用いて以下に説明する。
【００３４】
図４（Ｂ）に示すように、先ず、ＣＡＮパッケージ３内から出射されるレーザー光の輝度中心のばらつきが−１．５°≦ｒ（θ）≦１．５°の範囲にある場合には、集光精度に影響は少なく許容誤差範囲内として、そのＣＡＮパッケージ３は良品として選別される。次に、許容範囲内として選別されたＣＡＮパッケージ３は、光軸に対して＋方向のずれ（例えば、０°≦ｒ（θ）≦１．５°）のＣＡＮパッケージ３と、光軸に対して−方向のずれ（例えば、−１．５°≦ｒ（θ）＜０°）のＣＡＮパッケージ３とに区別される。
【００３５】
図５（Ａ）に示す如く、＋方向のずれ（例えば、０°≦ｒ（θ）≦１．５°）のＣＡＮパッケージ３は、丸印３２にて示すＬＤホルダ２の突起部１２、１３を利用し、ＬＤホルダ２の＋方向（図２（Ａ）参照）に傾いた状態にてＬＤホルダ２内に接着固定される。そして、突起部１２、１３の高さにより傾きが−方向へ０．５°調整され、ＣＡＮパッケージ３のレーザー光の輝度中心のばらつきが−０．５≦ｒ（θ）≦１．０の範囲に調整される。その結果、良品として選別される許容誤差の範囲（−１．５°≦ｒ（θ）≦１．５°）よりも更に高精度の範囲にて、ＣＡＮパッケージ３がＬＤホルダ２内へと固着される。尚、前述したように、ＬＤホルダ２の突起部１２、１３の構造を用い、更に、ＣＡＮパッケージ３はＬＤホルダ２内の＋方向側の側面に押し当てながら接着固定されることで、×印にて示すＣＡＮパッケージ３内の発光点は光軸上からずれることはない。また、丸印３２、３３にて示すように、ＣＡＮパッケージ３は、ＬＤホルダ２の座面１１に対し、少なくとも突起部１２、１３及び座面１１の一部による３点支持状態にて固定され、安定した状態にて固着される。
【００３６】
一方、図５（Ｂ）に示す如く、−方向のずれ（例えば、−１．５°≦ｒ（θ）＜０°）のＣＡＮパッケージ３は、丸印３４にて示すＬＤホルダ２の突起部１２、１３を利用し、ＬＤホルダ２の−方向（図２（Ａ）参照）に傾いた状態にてＬＤホルダ２内に接着固定される。そして、突起部１２、１３の高さにより傾きが＋方向へ０．５°調整され、ＣＡＮパッケージ３のレーザー光の輝度中心のばらつきが−１．０°≦ｒ（θ）＜０．５°の範囲に調整される。その結果、良品として選別される許容誤差の範囲（−１．５≦ｒ（θ）≦１．５）よりも更に高精度の範囲にて、ＣＡＮパッケージ３がＬＤホルダ２内へと固着される。尚、前述したように、ＬＤホルダ２の突起部１２、１３の構造を用い、更に、ＣＡＮパッケージ３はＬＤホルダ２内の−方向側の側面に押し当てながら接着固定されることで、×印にて示すＣＡＮパッケージ３内の発光点は光軸上からずれることはない。また、丸印３４、３５にて示すように、ＣＡＮパッケージ３は、ＬＤホルダ２の座面１１に対し、少なくとも３点支持状態にて固定され、安定した状態にて固着される。
【００３７】
つまり、本実施の形態では、輝度中心の調整が必要ないＣＡＮパッケージ３に対しても一律に輝度調整を行うことになるが、ハウジング１４にＬＤホルダ２を固着した後の輝度調整を一切省略することが可能となる。その結果、個々の作業員による熟練度に影響を受けないため、作業性が向上し、量産性に優れたＬＤホルダ２が実現される。また、両方向のずれを有するＣＡＮパッケージ３に対して１つのＬＤホルダ２にて対応出来るため、作業員によるＬＤホルダ２の取り間違え等の単純ミスが排除され、歩留まりも向上する。
【００３８】
尚、本実施の形態では、ＬＤホルダ２の突起部１２、１３の高さｔ１を調整することで、−１．５°≦ｒ（θ）≦１．５°の範囲内にあるＣＡＮパッケージ３に対して０．５°の輝度調整を行う場合について説明したが、この場合に限定するものではない。例えば、ＬＤホルダ２の突起部１２、１３の高さｔ１を更に高くすることで調整角度を１．０°とすることも可能であり、この場合には輝度中心のばらつきが−０．５≦ｒ（θ）≦０．５の範囲に抑制され、更なる集光精度の向上が実現される。あるいは、調整角度を１．０°とすることで、ＣＡＮパッケージ３内から出射されるレーザー光の輝度中心のばらつきが、−２．０°≦ｒ（θ）≦２．０°の範囲内のＣＡＮパッケージ３まで良品として扱うことが可能となり、簡易な取り付け作業にて歩留まりが大幅に向上される。つまり、取り扱われるレーザー光の特性や集光精度等に応じて突起部１２、１３の高さｔ１は、任意の設計変更による対応が可能となる。
【００３９】
また、ＣＡＮパッケージ３を＋方向のずれと−方向のずれの２種類に区分する場合について説明したが、この場合に限定するものではない。例えば、ＣＡＮパッケージ３を前述した２種類の他に輝度調整無し、を含む３種類として区分する場合でも良い。この場合には、輝度調整無しとして区分されたＣＡＮパッケージ３に対しては突起部１２、１３が配置されないＬＤホルダを用いることで、集光精度の更なる向上が実現される。その他、本発明の要旨を逸脱しない範囲で、種々の変更が可能である。
【符号の説明】
【００４０】
１  レーザー取付装置
２  ＬＤホルダ
３  ＣＡＮパッケージ
１０  貫通孔
１１  座面
１２、１３  突起部
【図１】
2011170924.tif 000003
【図２】
2011170924.tif 000004
【図３】
2011170924.tif 000005
【図４】
2011170924.tif 000006
【図５】
2011170924.tif 000007
【図６】
2011170924.tif 000008